(57)【特許請求の範囲】
【請求項１】
トイレットロールを装着するトイレットペーパーホルダの上方に着脱自在に取り付けられ、自身の上面にシート状物品の収納ボックスを載置可能なホルダアタッチメントであって、
前記トイレットペーパーホルダは、後壁の両端からそれぞれ前方へ延びる１対のアーム部と、前記１対のアーム部の内面から互いに対向して突没可能に突出するトイレットロール支持軸と、又は該トイレットロール支持軸に代え、前記１対のアーム部の内面に互いに対向し前記トイレットロールを軸持する長さ可変の心棒の両端に係合する凹溝とを備えて構成され、
前記ホルダアタッチメントは、
前記上面と、
前記上面の両側から下方に延びる１対の脚部と、
前記脚部に開口し、前記トイレットロール支持軸又は前記心棒が挿通される挿通孔と、
前記脚部の後端側に形成され、前記上面と間隔を開けた下向き面を有する段部とを備え、
前記１対の脚部を前記アーム部の内側にそれぞれ配置し、前記挿通孔を挿通した前記トイレットロール支持軸又は前記心棒で前記トイレットロールを軸持しつつ、前記段部の下向き面を前記トイレットペーパーホルダの後壁の上面に当接させ、当該後壁の上面より上方に間隔を開けて取り付けられるホルダアタッチメント。
【請求項２】
前記上面の両側端から該上面に平行にそれぞれ延びる１対の収納ボックス係合片をさらに備え、
前記収納ボックス係合片を、前記収納ボックスの底面に設けられた切り込みに係合可能である請求項１記載のホルダアタッチメント
【請求項３】
前記挿通孔は、前記上面に垂直な軸に対して斜めに延びる長円である請求項１又は２記載のホルダアタッチメント。
【請求項４】
前記ホルダアタッチメントは、板材を折線から折曲げて組立てる折畳み可能な展開構造をなし、前記上面の後端から前記１対の脚部の間に折り曲げ、前記１対の脚部の間隔を一定に保つガイド片をさらに備えている請求項１〜３のいずれか記載のホルダアタッチメント。
【請求項５】
請求項２記載のホルダアタッチメントが有する前記収納ボックス係合片に固定される２つの切り込みを自身の底面に備え、前記シート状物品を収納してなるシート状物品収納ボックス。
【発明の詳細な説明】
【技術分野】
【０００１】
本発明は、トイレットペーパーホルダに取り付けられるホルダアタッチメント、及びそれに取りつけて使用するシート状物品収納ボックスに関する。
【背景技術】
【０００２】
トイレットペーパーとしてロール状のものが広く普及しており、これを装着するためにトイレットペーパーホルダが用いられている。しかしながら、トイレットロールを所定長さに引出してカットするためには、両手を使う必要があり、身障者等にとって使いづらいという問題がある。このため、身障者用にシート状のトイレットティッシュを用意することが要望される。又、トイレ内で、トイレットロールと同時に他のティッシュを化粧等で使用したいという要望があるが、これらティッシュの収納ボックスを置く場所はほとんど無いのが現状である。
【０００３】
このようなことから、シート状ティッシュの積層体の収納ボックスの箱面を切り起こして差込片を形成し、収納ボックスをトイレットペーパーホルダの天蓋（カバー）上に載置すると共に、上記差込片を天蓋（カバー）と壁の間に差し込んで固定する技術が提案されている（特許文献１、２参照）。又、シート状ティッシュの積層体を特殊な形状の収納ボックスに収納し、トイレットロールの代わりにトイレットペーパーホルダに取り付ける技術が提案されている（特許文献３参照）。さらに、シート状ティッシュの積層体の収納ボックスの上面を切り起こして１対のフラップを立ち上がらせ、このフラップをトイレットペーパーホルダのトイレットロール支持軸に挿通することで、収納ボックスをトイレットペーパーホルダ下方に吊り下げる技術が提案されている（特許文献４参照）。
【先行技術文献】
【特許文献】
【０００４】
【特許文献１】特許第3511956号公報
【特許文献２】特開2002-112920号公報
【特許文献３】実開平05-3166号公報
【特許文献４】特開2002-58615号公報
【発明の概要】
【発明が解決しようとする課題】
【０００５】
しかしながら、特許文献１、２記載の技術の場合、収納ボックスがトイレットペーパーホルダの天蓋（カバー）に接して配置されているため、トイレットロールを引き出したり、カットする邪魔になるという問題がある。又、特許文献３記載の技術の場合、トイレットロールを使用することはできなくなる。一方、特許文献４記載の技術の場合、トイレットロールとティッシュを同時使用することはできるが、収納ボックスが特殊な構造であるため、コストアップに繋がると共に、この収納ボックスをトイレットペーパーホルダに装着せずに他の場所で使用しづらく、汎用性に欠ける場合がある。
すなわち、本発明は、トイレットロールの使用を妨げずにトイレットペーパーホルダに取り付けることができ、自身の上面にシート状物品の収納ボックスを載置固定すれば、シート状物品をポップアップ式に取り出しても収納ボックスが動かないので片手でシートが取り出せるホルダアタッチメント、及びシート状物品収納ボックスの提供を目的とする。
【課題を解決するための手段】
【０００６】
上記課題を解決するため、本発明のホルダアタッチメントは、トイレットロールを装着するトイレットペーパーホルダの上方に着脱自在に取り付けられ、自身の上面にシート状物品の収納ボックスを載置可能なホルダアタッチメントであって、前記トイレットペーパーホルダは、後壁の両端からそれぞれ前方へ延びる１対のアーム部と、前記１対のアーム部の内面から互いに対向して突没可能に突出するトイレットロール支持軸と、又は該トイレットロール支持軸に代え、前記１対のアーム部の内面に互いに対向し前記トイレットロールを軸持する長さ可変の心棒の両端に係合する凹溝とを備えて構成され、前記ホルダアタッチメントは、前記上面と、前記上面の両側から下方に延びる１対の脚部と、前記脚部に開口し、前記トイレットロール支持軸又は前記心棒が挿通される挿通孔と、前記脚部の後端側に形成され、前記上面と間隔を開けた下向き面を有する段部とを備え、前記１対の脚部を前記アーム部の内側にそれぞれ配置し、前記挿通孔を挿通した前記トイレットロール支持軸又は前記心棒で前記トイレットロールを軸持しつつ、前記段部の下向き面を前記トイレットペーパーホルダの後壁の上面に当接させ、当該後壁の上面より上方に間隔を開けて取り付けられる。
【０００７】
このような構成とすると、ホルダアタッチメントの段部が上面と上下方向に間隔を開けて形成されているので、段部をトイレットペーパーホルダの後壁上面に当接させて固定すると、上面と後壁上面との間に隙間ができる。従って、トイレットペーパーホルダに装着したトイレットロールを使用または補充する際に、トイレットロールを引き出したり、カットする邪魔にならない。
【０００８】
前記上面の両側端から該上面に平行にそれぞれ延びる１対の収納ボックス係合片をさらに備え、前記収納ボックス係合片を、前記収納ボックスの底面に設けられた切り込みに係合可能であると好ましい。
前記挿通孔は、前記上面に垂直な軸に対して斜めに延びる長円であると好ましい。
【０００９】
前記ホルダアタッチメントは、板材を折線から折曲げて組立てる折畳み可能な展開構造をなし、前記上面の後端から前記１対の脚部の間に折り曲げ、前記１対の脚部の間隔を一定に保つガイド片をさらに備えていると好ましい。
【００１０】
本発明のシート状物品収納ボックスは、前記ホルダアタッチメントが有する前記収納ボックス係合片に固定される２つの切り込みを自身の底面に備え、前記シート状物品を収納してなる。
【発明の効果】
【００１１】
この発明によれば、トイレットロールの使用を妨げずにトイレットペーパーホルダに取り付けることができ、自身の上面にシート状物品の収納ボックスを載置固定可能である。
【図面の簡単な説明】
【００１２】
【図１】本発明の実施形態に係るホルダアタッチメントの斜視図である。
【図２】ホルダアタッチメントに折畳み前の板材の展開図である。
【図３】トイレットペーパーホルダの構成例を示す斜視図である。
【図４】トイレットペーパーホルダの別の構成例を示す斜視図である。
【図５】トイレットペーパーホルダの上方にホルダアタッチメントを着脱自在に取り付ける態様を示す図である。
【図６】図５に続く図である。
【図７】収納ボックスの底面を示す斜視図である。
【図８】トイレットペーパーホルダの上方に取り付けたホルダアタッチメントの側面図である。
【図９】ホルダアタッチメントの正面図である。
【図１０】ホルダアタッチメントの背面図である。
【図１１】ホルダアタッチメントの左側面図である。
【図１２】ホルダアタッチメントの右側面図である。
【図１３】ホルダアタッチメントの平面図である。
【図１４】ホルダアタッチメントの底面図である。
【図１５】本発明の第２の実施形態に係るホルダアタッチメントを折畳む前の板材の展開図である。
【図１６】トイレットペーパーホルダに取り付けた第２の実施形態に係るホルダアタッチメントの側面図である。
【発明を実施するための形態】
【００１３】
以下、本発明の実施形態について説明する。
図１は、本発明の実施形態に係るホルダアタッチメント１０の斜視図を示す。ホルダアタッチメント１０はプラスチック板、板紙、又は板紙とフィルムとの積層体等からなる板材を折線から折曲げて組立てる折畳み可能な展開構造をなし、上面２と、上面２の両側から下方に延びる１対の脚部４，６と、脚部４，６にそれぞれ開口する挿通孔４ａ、６ａと、脚部４，６の後端側にそれぞれ形成された段部４ｘ、６ｘとを備えている。段部４ｘ、６ｘは、下向き面を有するようにして上面２の下方に設けられている。
なお、本発明において、ホルダアタッチメント１０の上面２側に向かう方向を「上側」、「上方」とし、上面２より脚部４，６に向かう方向を「下側」、「下方」とする。又、図１の左側を「前方」とし、右側を「後方」とする。前方は、ホルダアタッチメント１０が使用者に対向する側であり、後方はトイレットペーパーホルダが取り付けられるトイレ等の壁側である。又、「側方」とは、前後方向に対して直角の方向である。
又、ホルダアタッチメント１０の大きさは限定されないが、図１の例では、脚部４，６の長さ１５５ｍｍ、幅９３ｍｍ、上面２の幅１２５ｍｍとしている。
【００１４】
挿通孔４ａ、６ａは、上面２に垂直な軸Ｌに対し、角度θで斜めに延びる長円であり、この長円の長円軸Ａｘが軸Ｌに対し後方から前方に向かって上がるように傾いている。この構成による作用効果については後述する。
又、上面２の両側端でかつ前後方向の中央付近には、上面２に平行にそれぞれ外側に延びる１対の収納ボックス係合片２ａが形成されている。収納ボックス係合片２ａは、先端が鉤状をなし、後述する収納ボックス５０（ティッシュボックス等）の底面に設けられた切り込み５０ｓ（図７参照）に差し入れることで収納ボックス５０に係合可能である。
さらに、この実施形態では、上面２の後端から１対の脚部４，６の間に直角に折り曲げられるガイド片５が形成され、ガイド片５が立設する。これにより、プラスチック板等の板材を上面２に対して折線から折曲げ、脚部４，６を組立てた際、不安定になりがちな上面２と脚部４，６との取り付け角度（脚部４，６の間隔）を一定に保つガイドとして作用する。
さらに、この実施形態では、段部４ｘ、６ｘより下方で、各脚部４，６が後端縁Ｂより前方に引っ込む凹部４ｙ、６ｙを形成している。なお、段部４ｘ、６ｘの後端縁は、後端縁Ｂより後方に突出し、必要に応じてトイレットペーパーホルダ１００が取り付けられるトイレ等の壁面（図８の符号ｗ）に当接してホルダアタッチメント１０を支持する。
【００１５】
図２は、ホルダアタッチメント１０に折畳み前のプラスチック板（板材）の展開図を示す。ここで、折線を破線で表し、前方を矢印Ｆで表す。
上面２を中央として、上面２の左側の脚部４を折線で直角に折り曲げ、同様に上面２の右側の脚部６を折線で直角に折り曲げ、各脚部４を立設する。又、上面２の後側のガイド片５を折線で直角に折り曲げ、脚部４，６の間にガイド片５を立設する。
なお、収納ボックス係合片２ａは、自身の基部が上面２に接続し、かつ脚部４，６を構成する面に向かって略Ｕ字に切り抜かれている。従って、上面２に対して各脚部４，６を折線で直角に折り曲げると、収納ボックス係合片２ａは折り曲げられずに上面２と一体に残り、上面２と平行に切り起こされて外側に向けて延びることになる。
【００１６】
図３、図４は、ホルダアタッチメント１０が取り付けられるトイレットペーパーホルダ１００、２００の構成例を示す斜視図である。
図３において、トイレットペーパーホルダ１００は、後壁１０１と、後壁１０１の両端からそれぞれ前方へ延びる１対のアーム部１０２、１０４と、１対のアーム部１０２、１０４の内面から互いに対向して突没可能に突出するトイレットロール支持軸１０２ａ、１０４ａと、アーム部１０２、１０４の間に軸支されるカバー１０６と、を備えている。後壁１０１は、トイレの壁等に取り付けられる。
トイレットペーパーホルダ１００においては、トイレットロール支持軸１０２ａ、１０４ａを上に向かって跳ね上げてアーム部１０２、１０４の内面と面一に引き込ませることができる。従って、下方からトイレットロールをトイレットロール支持軸１０２ａ、１０４ａに押し当てることで、トイレットロール支持軸１０２ａ、１０４ａを跳ね上げた後、トイレットロールの芯部でトイレットロール支持軸１０２ａ、１０４ａがバネ力で元に戻って出っ張り、トイレットロールの芯に入り込む。これによって、トイレットロール支持軸１０２ａ、１０４ａにトイレットロールが軸支される。又、カバー１０６は、アーム部１０２、１０４を結ぶ方向に延びる軸１０６ａの周りに回動して上下に開閉するようになっている。そして、カバー１０６の先端にはトイレットロールのカッターが設けられ、トイレットロールを引き出して所定長さにカットすることができる。なお、軸１０６ａはアーム部１０２、１０４に支持されている。
【００１７】
一方、図４において、トイレットペーパーホルダ２００は、トイレットペーパーホルダ１００と同様に後壁１０１、アーム部１０２、１０４、カバー１０６を備えているが、トイレットロール支持軸１０２ａ、１０４ａの代わりに、アーム部１０２、１０４の内面に互いに対向する凹溝２０２ｂ、２０４ｂを備えている。又、トイレットペーパーホルダ２００は、トイレットロールの芯に挿通されてこれを軸支する心棒２０８を備えており、心棒２０８は軸方向の長さが可変（例えば、芯棒を鞘に収容し、芯棒をバネで進退させる構造）となっている。
そして、トイレットロールの芯に挿通した心棒２０８を縮ませて凹溝２０２ｂ、２０４ｂの間に入れた後、心棒２０８を元の長さに戻すことで、心棒２０８の両端が凹溝２０２ｂ、２０４ｂに係合し、トイレットロールを軸支するようになっている。
【００１８】
次に、図５〜図８を参照し、トイレットペーパーホルダ１００の上方にホルダアタッチメント１０及び収納ボックス５０を着脱自在に取り付ける態様について説明する。
まず、図５に示すように、トイレットペーパーホルダ１００のアーム部１０２、１０４の間で、かつカバー１０６の両側面の外側の隙間に、それぞれ脚部４，６を差しこむ。そして、挿通孔４ａ、６ａの内部にトイレットロール支持軸１０２ａ、１０４ａが遊嵌するように位置させ、脚部４，６をアーム部１０２、１０４の内面に沿って配置する。
又、各脚部４，６の後側に形成させた凹部４ｙ、６ｙでカバー１０６の軸１０６ａを囲むようにする。これにより、軸１０６ａに干渉せずに各脚部４，６をトイレットペーパーホルダ１００の後壁１０１に近接して配置することができる。
さらに段部４ｘ、６ｘの下向き面をトイレットペーパーホルダ１００の後壁１０１の上面に当接させると、各脚部４，６は後壁１０１上面で支持され、上からの押圧力に抗することができる。又、各脚部４，６のそれぞれの後端縁Ｂの少なくとも一部も後壁１０１に当接し、各脚部４，６の段部４ｘ、６ｘ及び後端縁Ｂの２箇所で、後壁１０１に保持される。
【００１９】
そして、図６に示すように、ホルダアタッチメント１０の上面２にシート状物品の収納ボックス５０を載置することができる（この例では、収納ボックス５０の長手方向が前後方向と垂直となる）。これにより、トイレットロールの使用を妨げずにトイレットペーパーホルダ１００の上方に収納ボックス５０を配置し、トイレットロールとシート状物品とを同時に使用することができる。
ここで、図７に示すように、収納ボックス５０の底面５０ｂの略中央部には、長手方向に間隔を開けて２個のスリット状の切り込み（係合部）５ｓが短手方向に延び、切り込み５ｓに収納ボックス挿入片２ａをそれぞれ挿し込むようになっている。そして、各スリット５ｓに、収納ボックス係合片２ａをそれぞれ差込むことで、収納ボックス係合片２ａに収納ボックス５０が係合し、収納ボックス５０からシート状物品をポップアップ式に取り出す際、収納ボックス５０が上面２からずれたり、落下することを防止している。
なお、収納ボックス５０に収納されるシート状物品としては、ティシュペーパー（フェイシャルティシュとも称される鼻かみや化粧落とし用の紙）、ペーパータオル、水溶性のトイレットペーパー等の使い捨て衛生用薄葉紙が例示されるがこれらに限られない。但し、トイレで使用されることから、水溶性のトイレットペーパーが好ましい。
【００２０】
図８は、トイレットペーパーホルダ１００の上方に取り付けたホルダアタッチメント１０の側面図を示す。なお、図８では、脚部６のみを表示しているが、脚部４についても同様な作用が生じることはいうまでもない。なお、符号ｗはトイレ等の壁面を表す。
ホルダアタッチメント１０の段部６ｘが上面２と上下方向に間隔Ｈを開けて形成されているので、段部６をトイレットペーパーホルダ１００の後壁１０１上面に当接させて固定すると、上面２と後壁１０１上面との間に高さＨの隙間ができる。従って、トイレットペーパーホルダ１００に装着したトイレットロール３００を使用または補充する際に、カバー１０６の上下動を規制することがなく、トイレットロール３００を引き出したり、カットする邪魔にならない。
【００２１】
又、この実施形態では挿通孔６ａが長円であり、その長円軸Ａｘが軸Ｌに対し傾いている。このため、挿通孔６ａとトイレットペーパーホルダ１００の後壁１０１との距離Ｄが、脚部６の位置によって変化するので、種々の寸法のＤを有するトイレットペーパーホルダに対応してホルダアタッチメント１０を取り付けることが可能となる。
【００２２】
本発明の実施形態に係るホルダアタッチメント１０は意匠性も有する。このホルダアタッチメント１０は、トイレットペーパーホルダの上方に着脱自在に取り付けられ、自身の上面にシート状物品の収納ボックスを載置可能であり、上面の両側から下方に略矩形の１対の脚部が延びている。各脚部の中央よりやや下方には、上面に垂直な軸に対し、後方から前方に向かって上がるように傾く長円軸を有する長円状の挿通孔が開口している。又、各脚部の後端側に、上面と間隔を開けた下向き面を有する段部が形成されている。さらに、上面の両側端中央部から上面に平行にそれぞれ１対の収納ボックス係合片が延びている。
図９〜１４は、本発明の実施形態に係るホルダアタッチメント１０の六面図を示す。
【００２３】
次に、図１５、図１６を参照し、本発明の第２の実施形態に係るホルダアタッチメント１２について説明する。図１５は、ホルダアタッチメント１２を折畳む前の板材の展開図であり、図１６は、トイレットペーパーホルダ１００に取り付けたホルダアタッチメント１２の側面図である。なお、第２の実施形態に係るホルダアタッチメント１２は、後述する下方支持部４ｚ、６ｚを有していること以外は、第２の実施形態に係るホルダアタッチメント１０と同一であるので、同一構成部分を同一符号を付して説明を省略する。
図１５において、１対の脚部４,６の下方には、後方に向けて突出する下方支持部４ｚ、６ｚがそれぞれ形成されている。下方支持部４ｚ、６ｚの後端縁は、段部４ｘ、６ｘの後端縁とほぼ平行になっている。又、下方支持部４ｚ、６ｚの後端縁は幅を持った平面をなしている。
下方支持部４ｚ、６ｚをこのように構成すると、図１６に示すように、下方支持部４ｚ、６ｚの後端縁が段部４ｘ、６ｘの後端縁と共に、トイレットペーパーホルダ１００が取り付けられるトイレ等の壁面（図１６の符号ｗ）に当接する。これにより、ホルダアタッチメント１２を下方支持と段部の２箇所で確実に支持、固定することができる。
【００２４】
本発明は上記した実施形態に限定されず、本発明の思想と範囲に含まれる様々な変形及び均等物に及ぶことはいうまでもない。
【符号の説明】
【００２５】
２                        上面
２ａ                      収納ボックス係合片
４，６                    脚部
４ａ，６ａ                挿通孔
４ｘ，６ｘ                段部
５                        ガイド片
１０，１２                ホルダアタッチメント
５０                      シート状物品の収納ボックス
５０ｂ                    収納ボックスの底面
５０ｓ                    収納ボックスの切り込み
１００，２００            トイレットペーパーホルダ
１０１                    後壁
１０２ａ，１０４ａ        トイレットロール支持軸
２０２ｂ，２０４ｂ        凹溝
２０８                    心棒
３００                    トイレットロール
Ａｘ                        長円軸
Ｃ                        ミシン目のカット部分の長さ
Ｄ                        ミシン目のボンド部分の長さ
Ｌ                        上面に垂直な軸
【図１】
0005602531.tif 000002
【図２】
0005602531.tif 000003
【図３】
0005602531.tif 000004
【図４】
0005602531.tif 000005
【図５】
0005602531.tif 000006
【図６】
0005602531.tif 000007
【図７】
0005602531.tif 000008
【図８】
0005602531.tif 000009
【図９】
0005602531.tif 000010
【図１０】
0005602531.tif 000011
【図１１】
0005602531.tif 000012
【図１２】
0005602531.tif 000013
【図１３】
0005602531.tif 000014
【図１４】
0005602531.tif 000015
【図１５】
0005602531.tif 000016
【図１６】
0005602531.tif 000017